(57)【要約】【課題】画像データの記録機能と画像データの無線通信機能とを併せ持つ携帯型記録ユニットを装着可能な記録装置において画像データの記録時間や通信時間を適正にすること。【解決手段】ユニット側記録部３０５と、無線通信部３２１とを有する携帯型記録ユニット３がカメラボディ１に装着されている場合に制御回路３０４から管理データが取得される。この管理データに従って、ＣＰＵ１２３は、ユニット側記録部３０５に転送するメモリカード１０８内の画像ファイルのデータサイズを示す記録データサイズと、無線通信部３２１を用いて外部装置４に送信する画像ファイルのデータサイズを示す送信データサイズとを設定する。画像ファイルをユニット側記録部３０５に転送する際には画像ファイルを記録データサイズに従って圧縮してから転送する。画像ファイルを送信する際には通信対象の画像ファイルを送信データサイズに従って圧縮してから送信する。【選択図】図４
2012142820.tif 000002
【特許請求の範囲】
【請求項１】
デジタルデータを記録するユニット側記録部と、外部装置と無線通信する無線通信部とを有する携帯型記録ユニットが装着された又は外されたことを検出する着脱検出部と、
前記携帯型記録ユニットが装着された場合に前記携帯型記録ユニットと通信自在に接続され、前記携帯型記録ユニットとの間でデジタルデータの送受信をするデータ通信部と、
前記データ通信部を介して前記携帯型記録ユニットから前記携帯型記録ユニットの管理データを取得し、該取得した管理データに基づいて、前記ユニット側記録部に記録する画像データの画質に関する第１の処理条件又は前記無線通信部を介して外部装置に無線送信する画像データの画質に関する第２の処理条件を設定する画質条件設定部と、
入力された画像データを前記第１の処理条件に従って圧縮処理する又は入力された画像データを前記第２の処理条件に従って圧縮処理する圧縮処理部と、
前記第１の処理条件に従って画像データが圧縮処理された場合には、該第１の処理条件に従って圧縮処理された画像データを前記ユニット側記録部に前記データ通信部を介して記録し、前記第２の処理条件に従って画像データが圧縮処理された場合には、該第２の処理条件に従って圧縮処理された画像データを前記データ通信部を介して前記無線通信部を制御することによって前記外部装置に無線通信する制御部と、
を具備することを特徴とする記録装置。
【請求項２】
前記第１の処理条件は、前記ユニット側記録部に記録する画像データのデータサイズであり、
前記第２の処理条件は、前記無線通信部を介して送信する画像データのデータサイズであり、
前記画質条件設定部は、前記ユニット側記録部に記録する画像データのデータサイズよりも前記無線通信部を介して送信する画像データのデータサイズを小さく設定することを特徴とする請求項１に記載の記録装置。
【請求項３】
前記画質条件設定部は、前記管理データから前記ユニット側記録部に記録可能なデータサイズを判別して前記第１の処理条件を設定し、前記管理データから前記無線通信部が送信可能なデータサイズを判別して前記第２の処理条件を設定することを特徴とする請求項２に記載の記録装置。
【請求項４】
前記データ通信部を介して前記ユニット側記録部に記録された画像データを取得し、該取得した画像データに基づく画像を表示する表示部をさらに具備することを特徴とする請求項１乃至３の何れか１項に記載の記録装置。
【請求項５】
前記画質条件設定部は、前記ユニット側記録部から画像データの送信を禁止する旨を示すデータが前記管理データとして取得された場合に、前記ユニット側記録部からの画像データの記録が禁止されている旨を示す警告を前記表示部に表示させることを特徴とする請求項４に記載の記録装置。
【請求項６】
前記画質条件設定部は、前記携帯型記録ユニットの個体を識別するための情報が前記管理データとして取得された場合に、前記表示部に前記携帯型記録ユニットの個体を識別するための情報を表示させることを特徴とする請求項４又は５に記載の記録装置。
【請求項７】
被写体を撮影して、被写体に係る画像データを取得する画像取得部と、
前記画像取得部によって取得された画像データを記録する装置側記録部と、
当該記録装置の動作モードを切り換えるための操作部と、
前記携帯型記録ユニットが装着されたことが前記着脱検出部によって検出されている場合に、前記操作部の操作に応じて、前記動作モードを、前記装置側記録部に記録された画像データを前記表示部に再生するための第１の再生モードと、前記ユニット側記録部に記録された画像データを前記表示部に再生するための第２の再生モードと、前記被写体を撮影するための撮影モードとの間で順次切り換える動作モード設定部と、
をさらに具備することを特徴とする請求項４乃至６の何れか１項に記載の記録装置。
【請求項８】
前記動作モード設定部は、前記第２の再生モード中に、前記携帯型記録ユニットが外されたことが前記着脱検出部によって検出された場合に、前記動作モードを、前記第２の再生モードから前記撮影モードに切り換えることを特徴とする請求項７に記載の記録装置。
【請求項９】
通信ラインが前記データ通信部と共用され、該通信ラインを介して交換レンズと通信するレンズ通信部と、
前記携帯型記録ユニットが装着されたことが前記着脱検出部によって検出されている間は、前記通信ラインを前記携帯型記録ユニットとの通信用に切り換え、前記携帯型記録ユニットが外されたことが前記着脱検出部によって検出されている場合には、前記通信ラインを前記交換レンズとの通信用に切り換える切換部と、
をさらに具備することを特徴とする請求項１乃至８の何れか１項に記載の記録装置。
【請求項１０】
前記携帯型記録ユニットを機械的に固定するための第１の装着部と、
前記第１の装着部を介して前記携帯型記録ユニットが固定された際に前記データ通信部を前記携帯型記録ユニットに通信自在に接続する第２の装着部と、
を具備することを特徴とする請求項１乃至９の何れか１項に記載の記録装置。
【請求項１１】
画像表示が可能な装置に着脱自在な携帯型記録ユニットであって、
前記装置に装着された場合に前記装置と通信自在に接続されるデータ通信部と、
当該携帯型記録ユニットの管理データを記録する管理データ記録部と、
前記装着された装置からの要求に対応した前記管理データを、前記データ通信部を介して送信する制御部と、
前記装着された装置からの画像記録要求に応じて、前記データ通信部を介して受信された画像データを記録するユニット側記録部と、
前記装着された装置からの画像読み出し要求に応じて、前記データ通信部を介して受信された画像データを外部装置に送信する無線通信部と、
を具備することを特徴とする携帯型記録ユニット。
【請求項１２】
前記制御部は、前記装置からの画像読み出し要求の適否を前記管理データに従って判定し、前記装置からの画像読み出し要求が適さないと判定した場合に前記ユニット側記録部からの画像データの読み出しを禁止する旨を示すデータを前記データ通信部を介して送信することを特徴とする請求項１１に記載の携帯型記録ユニット。
【請求項１３】
前記管理データは、前記携帯型記録ユニットの個体を識別するための情報を含み、
前記制御部は、前記管理データに含まれている前記携帯型記録ユニットの個体を識別するための情報に従って前記装置からの画像読み出し要求の適否を判定することを特徴とする請求項１２に記載の携帯型記録ユニット。
【請求項１４】
前記装置に装着されるコネクタと、
前記コネクタに電気的に接続され、前記コネクタの近傍に配置されるようにして前記ユニット側記録部が実装された第１の回路基板と、
前記第１の回路基板を介して前記コネクタに電気的に接続されるとともに、前記第１の回路基板に対して直交する方向であって前記コネクタの延在方向に対して平行な方向に配置され、前記無線通信部が実装された第２の回路基板と、
を具備し、
当該携帯型記録ユニットは、前記無線通信部が前記装置の上面に位置するように前記装置に装着されることを特徴とする請求項１１乃至１３の何れか１項に記載の携帯型記録ユニット。
【請求項１５】
デジタルデータを記録するユニット側記録部と、外部装置と無線通信する無線通信部とを有する携帯型記録ユニットが記録装置に装着されたか否かを検出し、
前記携帯型記録ユニットから前記携帯型記録ユニットの管理データを取得し、該取得した管理データに基づいて、前記ユニット側記録部に記録する画像データの画質に関する第１の処理条件又は前記無線通信部を介して外部装置に無線送信する画像データの画質に関する第２の処理条件を設定し、
入力された画像データを前記第１の処理条件に従って圧縮処理する又は入力された画像データを前記第２の処理条件に従って圧縮処理し、
前記第１の処理条件に従って画像データが圧縮処理された場合には、該第１の処理条件に従って圧縮処理された画像データを前記ユニット側記録部に記録し、前記第２の処理条件に従って画像データが圧縮処理された場合には、該第２の処理条件に従って圧縮処理された画像データを前記記録装置から前記無線通信部を制御することによって前記外部装置に無線通信する、
ことを特徴とする携帯型記録ユニットの制御方法。
【発明の詳細な説明】
【技術分野】
【０００１】
本発明は、画像データを記録する機能を有する記録装置及び該記録装置に装着可能な携帯型記録ユニット並びにその制御方法に関する。
【背景技術】
【０００２】
デジタルカメラのような記録装置は、撮影により得られた画像データを記録媒体に記録する機能を有している。このような記録媒体としては、記録装置に内蔵されているものや、記録装置に装着して使用されるものがある。このような記録媒体に装着して使用される記録媒体の中には一般にメモリカードと呼ばれる非常に小型のものもある。
【０００３】
特許文献１では、メモリカードのような可搬型の記録媒体が記録装置に装着されている場合に、撮影により得られた画像データを記録装置に内蔵されている記録媒体と可搬型の記録媒体との両方に記録させるようにしている。
【先行技術文献】
【特許文献】
【０００４】
【特許文献１】特開２００６−１２８８６４号公報
【発明の概要】
【発明が解決しようとする課題】
【０００５】
デジタルカメラに着脱自在に構成された携帯（可搬）型の記録媒体（携帯型記録ユニット）に画像データの無線通信機能を持たせるようにすれば、この携帯型記録ユニットは、画像データを記録する機能だけに留まらずに、例えば無線通信機能のないデジタルカメラに無線通信機能を付与することも可能となるので、ユニットの活用の機会が広がる。このような携帯型記録ユニットに要求される条件としては、記録媒体として多くの画像データを記録できることは勿論、無線通信の際の画質の劣化をなるべく抑えるよう、鑑賞に耐え得る画質を保った状態で画像データを記録できることが必要である。しかしながら、画像データの画質を高く保つようにすると、画像データの記録にかかる時間や画像データの無線通信にかかる時間が長くなる。したがって、鑑賞に耐え得る画質を保った状態で画像データを記録しつつ、画像データの記録時間や通信時間を適正にすることが必要となる。
【０００６】
本発明は、上記の事情に鑑みてなされたもので、画像データの記録機能と画像データの無線通信機能とを併せ持つ携帯型記録ユニットを装着可能な記録装置において、画像データの記録時間や通信時間を適正にすることが可能な記録装置、及びこのような記録装置に装着される携帯型記録ユニット並びにその制御方法を提供することを目的とする。
【課題を解決するための手段】
【０００７】
上記の目的を達成するために、本発明の第１の態様の記録装置は、デジタルデータを記録するユニット側記録部と、外部装置と無線通信する無線通信部とを有する携帯型記録ユニットが装着された又は外されたことを検出する着脱検出部と、前記携帯型記録ユニットが装着された場合に前記携帯型記録ユニットと通信自在に接続され、前記携帯型記録ユニットとの間でデジタルデータの送受信をするデータ通信部と、前記データ通信部を介して前記携帯型記録ユニットから前記携帯型記録ユニットの管理データを取得し、該取得した管理データに基づいて、前記ユニット側記録部に記録する画像データの画質に関する第１の処理条件又は前記無線通信部を介して外部装置に無線送信する画像データの画質に関する第２の処理条件を設定する画質条件設定部と、入力された画像データを前記第１の処理条件に従って圧縮処理する又は入力された画像データを前記第２の処理条件に従って圧縮処理する圧縮処理部と、前記第１の処理条件に従って画像データが圧縮処理された場合には、該圧縮処理によって得られた画像データを前記ユニット側記録部に前記データ通信部を介して記録し、前記第２の処理条件に従って画像データが圧縮処理された場合には、該圧縮処理によって得られた画像データを前記データ通信部を介して前記無線通信部を制御することによって前記外部装置に無線通信する制御部と、を具備することを特徴とする。
【０００８】
また、上記の目的を達成するために、本発明の第２の態様の携帯型記録ユニットは、画像表示が可能な装置に着脱自在な携帯型記録ユニットであって、前記装置に装着された場合に前記装置と通信自在に接続されるデータ通信部と、当該携帯型記録ユニットの管理データを記録する管理データ記録部と、前記装着された装置からの要求に対応した前記管理データを、前記データ通信部を介して送信する制御部と、前記装着された装置からの画像記録要求に応じて、前記データ通信部を介して受信された画像データを記録するユニット側記録部と、前記装着された装置からの画像読み出し要求に応じて、前記データ通信部を介して受信された画像データを外部装置に送信する無線通信部と、を具備することを特徴とする。
【０００９】
上記の目的を達成するために、本発明の第３の態様の携帯型記録ユニットの制御方法は、デジタルデータを記録するユニット側記録部と、外部装置と無線通信する無線通信部とを有する携帯型記録ユニットが記録装置に装着されたか否かを検出し、前記携帯型記録ユニットから前記携帯型記録ユニットの管理データを取得し、該取得した管理データに基づいて、前記ユニット側記録部に記録する画像データの画質に関する第１の処理条件又は前記無線通信部を介して外部装置に無線送信する画像データの画質に関する第２の処理条件を設定し、入力された画像データを前記第１の処理条件に従って圧縮処理する又は入力された画像データを前記第２の処理条件に従って圧縮処理し、前記第１の処理条件に従って画像データが圧縮処理された場合には、該第１の処理条件に従って圧縮処理された画像データを前記ユニット側記録部に記録し、前記第２の処理条件に従って画像データが圧縮処理された場合には、該第２の処理条件に従って圧縮処理された画像データを前記記録装置から前記無線通信部を制御することによって前記外部装置に無線通信する、ことを特徴とする。
【発明の効果】
【００１０】
本発明によれば、画像データの記録機能と画像データの無線通信機能とを併せ持つ携帯型記録ユニットを装着可能な記録装置において、画像データの記録時間や通信時間を適正にすることが可能な記録装置、及びこのような記録装置に装着される携帯型記録ユニット並びにその制御方法を提供することが可能である。
【図面の簡単な説明】
【００１１】
【図１】本発明の各実施形態に係る記録装置の一例としてのカメラシステムの外観を示す斜視図である。
【図２】携帯型記録ユニットを取り外した状態のカメラボディの背面斜視図である。
【図３】図３（ａ）は携帯型記録ユニットの外観を示す斜視図であり、図３（ｂ）は携帯型記録ユニットの内部の構成を示す斜視図である。
【図４】本発明の第１の実施形態に係るカメラシステムのより詳細な構成を示すブロック図である。
【図５】本発明の第１の実施形態に係るカメラシステムにおけるＣＰＵの動作について示すフローチャートである。
【図６】撮影動作の流れについて示す図である。
【図７】メモリカードからユニット側記録部への画像ファイルの転送動作の流れについて示す図である。
【図８】ユニット側記録部からメモリカードへの画像ファイルの転送動作の流れについて示す図である。
【図９】メモリカードに記録されている画像ファイルを外部装置に送信する際の動作の流れについて示す図である。
【図１０】外部装置から画像ファイルを受信する際の動作の流れについて示す図である。
【図１１】ユニット側記録部に記録されている画像ファイルを外部装置に送信する際の動作の流れについて示す図である。
【図１２】図５のフローチャートの動作がなされている間に表示部になされる表示の例を示す図である。
【図１３】本発明の第２の実施形態に係るカメラシステムのより詳細な構成を示すブロック図である。
【図１４】本発明の第２の実施形態における制御回路の動作を示すフローチャートである。
【図１５】ユニット側記録部への動画ファイルの記録を禁止する変形例を説明するための図である。
【発明を実施するための形態】
【００１２】
以下、図面を参照して本発明の実施形態を説明する。  
［第１の実施形態］  
まず、本発明の第１の実施形態について説明する。図１は、本発明の各実施形態に係るカメラシステムの外観を示す斜視図である。ここで、図１（ａ）は正面斜視図であり、図１（ｂ）は背面斜視図である。
【００１３】
図１に示すカメラシステムは、記録装置の一例としてのデジタルカメラ（以下、適宜カメラと言う）と、携帯型記録ユニットとを有している。ここで、図１に示すカメラは、レンズ交換式のカメラを例示している。したがって、図１に示すカメラは、カメラボディ１と、交換レンズ２とを有している。また、携帯型記録ユニット３は、カメラボディ１に対して着脱自在に構成されている。
【００１４】
交換レンズ２は、カメラボディ１に対して着脱自在に構成されており、図１（ａ）に示すように撮影レンズ２０１を有している。撮影レンズ２０１は、図示しない被写体の像をカメラボディ１内の撮像部に集光する光学系である。ここで、図１（ａ）においては、外部に露出している１枚のレンズを図示しているが、撮影レンズ２０１は、複数のレンズから構成されていても良い。例えば、撮影レンズ２０１は、フォーカスレンズやズームレンズを含んでいても良い。さらに、撮影レンズ２０１の光学系内に絞り機構を設けるようにしても良い。
【００１５】
カメラボディ１には、図１（ｂ）に示すように、複数の操作部材が露出するように配置されている。図１（ｂ）においては、操作部材の例としてレリーズボタン１０１と、パワーボタン１０２と、メニューボタン１０３と、十字キー１０４と、再生ボタン１０５とを示している。
【００１６】
レリーズボタン１０１は、ユーザが撮影動作の実行を指示するための操作部材である。パワーボタン１０２は、ユーザが当該カメラをパワーオン状態又はパワーオフ状態にするための操作部材である。メニューボタン１０３は、ユーザが表示部１０６にメニュー画面を表示させるように指示するための操作部材である。十字キー１０４は、上下左右ボタンと、これら上下左右ボタンによって囲まれるように配置されたＯＫボタンとを有している。上下左右ボタンは、ユーザがメニュー画面においてメニュー項目を選択したり、設定値を変更したりするための操作部材である。ＯＫボタンは、ユーザが選択したメニュー項目や設定値を確定するための操作部材である。再生ボタン１０５は、当該カメラの動作モードを切り換えるための操作部材である。再生ボタン１０５の詳細については後述する。
【００１７】
また、図１（ｂ）に示すように、カメラボディ１の背面には、表示部１０６が設けられている。ここで、本実施形態では、カメラボディ１の背面を、ユーザがカメラボディ１を正位置で構えたときにユーザに向かう面と定義する。図１（ｂ）に示す表示部１０６は、例えば液晶パネルから構成されている。この表示部１０６は、各種の画像を表示する。この他、表示部１０６は、警告表示等の各種の情報を表示したり、メニュー画面を表示させたりもする。
【００１８】
また、図１（ｂ）に示すように、カメラボディ１の側面には、カード蓋１０７が設けられている。カード蓋１０７は、開閉可能に構成されている。カード蓋１０７を開けると、カードスロットが設けられている。カードスロットに装置側記録部の一例としてのメモリカード１０８を挿入することにより、メモリカード１０８が使用可能となる。メモリカード１０８は、カメラボディ１に対して着脱自在になされたカード型の不揮発性メモリである。メモリカード１０８には、カメラボディ１内で画像処理がなされた画像データが記録される。なお、装置側記録部として、カメラボディ１に不揮発性メモリを内蔵させておくようにしても良い。
【００１９】
また、図２は、携帯型記録ユニット３を取り外した状態のカメラボディ１の背面斜視図を示している。図２に示すように、カメラボディ１の上面にはユニット保持部１０９が設けられている。ここで、本実施形態では、カメラボディ１の上面を、ユーザがカメラボディ１を正位置で構えたときに天空方向となる面と定義する。ユニット保持部１０９は、照明用のフラッシュユニット等の各種のユニットがカメラボディ１に装着された際に、該ユニットを機械的に保持する。本実施形態では、ユニット保持部１０９を、携帯型記録ユニット３を保持するための保持部としても用いる。
【００２０】
また、ユニット保持部１０９には、接点１１０が設けられている。接点１１０は、ユニット保持部１０９にフラッシュユニットを装着した場合にフラッシュユニットとカメラボディ１とを電気的に接続するための接点である。この接点１１０を介してフラッシュユニットとカメラボディ１との間でのデータ通信やカメラボディ１からフラッシュユニットに対する発光指示等が行われる。
【００２１】
さらに、カメラボディ１の背面にはコネクタ１１１が設けられている。コネクタ１１１は、内部に複数の接点が形成された雌型のコネクタである。携帯型記録ユニット３等の各種ユニットに形成されたコネクタが挿入されることにより、コネクタ１１１を介して携帯型記録ユニット３等の何らかのユニットとカメラボディ１との間でのデータ通信が行われる。
【００２２】
図３は、携帯型記録ユニット３の構成を示す斜視図である。なお、図３（ａ）は携帯型記録ユニット３の外観を示す斜視図であり、図３（ｂ）は携帯型記録ユニット３の内部の構成を示す斜視図である。
図３（ａ）に示すように、携帯型記録ユニット３は、カメラボディ１の上面から背面の形状に倣うような略Ｌ字状の本体を有している。そして、この本体には、係合部３０１が形成されている。係合部３０１は、ユニット保持部１０９と嵌り合う形状をなしている。さらに、携帯型記録ユニット３の本体にはコネクタ３０２が形成されている。コネクタ３０２は、内部に複数の接点が形成された雄型のコネクタである。
【００２３】
図３（ａ）に示すような構造を有する携帯型記録ユニット３を、カメラボディ１の後方から装着することにより、係合部３０１がユニット保持部１０９と係合して携帯型記録ユニット３がカメラボディ１に機械的に保持される。同時に、コネクタ３０２がコネクタ１１１に挿入されてカメラボディ１と携帯型記録ユニット３とが通信自在に接続される。
【００２４】
また、図３（ｂ）に示すように、携帯型記録ユニット３は、内部に２枚の回路基板を有している。  
第１の回路基板としての回路基板３０３は、コネクタ３０２と導通しており、制御回路３０４と、ユニット側記録部３０５とが実装されている。この回路基板３０３は、携帯型記録ユニット３がカメラボディ１に装着された際にカメラボディ１の背面側に位置するようになっている。したがって、携帯型記録ユニット３がカメラボディ１に装着された際には、制御回路３０４及びユニット側記録部３０５もカメラボディ１の背面側に位置するようになっている。
【００２５】
第２の回路基板としての回路基板３０６は、回路基板３０３に対して直交するように、かつ、コネクタ３０２の延在方向と平行に配置されている。この回路基板３０６は、配線基板３０７を介して回路基板３０３に接続され、さらに回路基板３０３を介してコネクタ３０２とも接続されている。この回路基板３０６には、チップアンテナ３０８と、無線ＩＣ３０９とを有する無線通信部が実装されている。この回路基板３０６は、携帯型記録ユニット３がカメラボディ１に装着された際に、カメラボディ１の上面側に位置するようになっている。したがって、携帯型記録ユニット３がカメラボディ１に装着された際には、無線通信部もカメラボディ１の上面側に位置するようになっている。さらに、チップアンテナ３０８については、携帯型記録ユニット３がカメラボディ１に装着された際に、レリーズボタン１０１の側に位置するように（カメラボディ１を背面から見た場合の右寄りとなるように）配置されている。
【００２６】
図３（ｂ）に示したようにして内部回路を配置することにより、ユニット側記録部３０５とチップアンテナ３０８との間の距離を長くすることが可能である。これにより、ユニット側記録部３０５にアクセスした際のノイズがチップアンテナ３０８に与える影響を低減することが可能である。また、携帯型記録ユニット３がカメラボディ１に装着された際には、無線通信部がカメラボディ１の上面側に位置するようになっている。カメラボディ１の上面側であれば、周囲に障害物も少ないので、高い通信感度が得られ易い。さらに、チップアンテナ３０８を、携帯型記録ユニット３がカメラボディ１に装着された際にレリーズボタン１０１の側に位置するように配置している。カメラボディ１にはユーザがカメラボディ１をグリップしたり、レリーズの動作をしやすくするように、通信ユニットの取り付け部がレリーズボタンと反対側に寄っている。このため、チップアンテナ３０８をレリーズボタン１０１寄りに配置することで、チップアンテナ３０８がカメラの左右位置で中央に近い位置に配置され、撮影者がボディの左右端部を持って操作する場合でもチップアンテナ３０８を介した通信に障害が起きる可能性を低減できる。
【００２７】
図４は、本実施形態に係るカメラシステムのより詳細な構成を示すブロック図である。なお、図４において、図１〜図３で説明したものと同一の構成については図１〜図３で示したものと同一の参照符号を付すことで説明を省略する。  
まず、カメラボディ１の構成について説明する。図４に示すように、カメラボディ１は、撮像部１２１と、記憶部１２２と、ＣＰＵ１２３と、表示部１０６と、操作部１２５と、時計部１２６と、メモリカード１０８と、切換部１２８と、電源部１２９とを有している。
【００２８】
画像取得部としての機能を有する撮像部１２１は、撮像素子と、撮像処理回路とを有している。撮像素子は、例えばＭＯＳセンサ等の光電変換素子から構成されている。この撮像素子は、撮影レンズ２０１を介して集光された被写体の像を、その光量に応じた電気信号（画像信号）に変換する。撮像処理回路は、撮像素子によって得られた画像信号に対して相関二重サンプリング（ＣＤＳ）処理等のアナログ信号処理を施し、アナログ信号処理した画像信号をデジタル信号（画像データ）に変換する。
【００２９】
記憶部１２２は、ＳＤＲＡＭ等の揮発性メモリから構成されている。この記憶部１２２は、撮像部１２１で得られた画像データ等の各種のデジタルデータを一時的に記憶しておくための作業用の記憶部として用いられる。
制御部としての機能を有するＣＰＵ１２３は、カメラボディ１内の各ブロックの動作を制御する。また、ＣＰＵ１２３は、画像処理部を有している。画像処理部は、撮像部１２１を介して得られた画像データに対してホワイトバランス補正や階調補正、拡大縮小処理等の種々の画像処理を施す。また、画像処理部は、圧縮処理部としての機能も有し、画像処理した画像データに対して例えばＪＰＥＧ方式やＭＰＥＧ方式等の圧縮処理を施す。さらに、ＣＰＵ１２３は、画質条件設定部としての機能も有している。即ち、ＣＰＵ１２３は、画像データの画質に関連する情報としての圧縮処理後の画像データのデータサイズを設定する。この画質条件設定部としての機能の詳細については後述する。
【００３０】
さらに、図４に示すように、カメラボディ１に携帯型記録ユニット３が装着された際には、ＣＰＵ１２３と携帯型記録ユニット３とがコネクタ１１１とコネクタ３０２とを介して通信自在に接続される。コネクタ１１１とコネクタ３０２との間の通信ラインＤがデータ通信部として機能する。また、カメラボディ１に交換レンズ２が装着された際には、ＣＰＵ１２３と交換レンズ２とがレンズ通信部としてのマウント接続部１３０と、レンズマウント２０４とを介して通信自在に接続される。
【００３１】
操作部１２５は、図１で示した各種の操作部材の操作に応じた操作信号をＣＰＵ１２３に入力する。ＣＰＵ１２３は、操作部１２５からの操作信号に応じて図４に示す各ブロックの動作を制御する。
時計部１２６は、ＣＰＵ１２３が図４に示す各ブロックを同期制御するためのシステムクロックとして動作する。この他、時計部１２６は、撮影時刻等の各種の時間のカウントも行う。
【００３２】
切換部１２８は、通信ラインの切り換えを行う。本実施形態においては、ＣＰＵ１２３と切換部１２８との間に設けられた通信ラインＡが交換レンズ２と携帯型記録ユニット３とによって共用されている。切換部１２８は、カメラボディ１の動作モードに応じて通信ラインＡの接続先を切り換える。図４の例では、通信ラインＡの接続先が、通信ラインＢと通信ラインＣの２種類である。通信ラインＢは、切換部１２８と交換レンズ２の駆動制御部２２２との間の通信ラインである。一方、通信ラインＣは、切換部１２８と携帯型記録ユニット３の無線通信部３２１との間の通信ラインである。切換部１２８の動作の詳細については後述する。
【００３３】
電源部１２９は、電池と、電圧変換回路とを有している。電池は、例えば２次電池である。電圧変換回路は、電池の電圧を、カメラボディ１の各ブロックを動作させるために必要な電圧に変換する。また、図４に示すように、カメラボディ１に交換レンズ２が装着された際には、電源部１２９が交換レンズ２と導通するように構成されている。このような構成により、電源部１２９は、交換レンズ２を動作させるための電力も供給する。さらに、図４に示すように、カメラボディ１に携帯型記録ユニット３が装着された際には、電源部１２９が携帯型記録ユニット３と導通するように構成されている。このような構成により、電源部１２９は、携帯型記録ユニット３を動作させるための電力も供給する。
【００３４】
交換レンズ２は、撮影レンズ２０１と、駆動制御部２２２と、モータ２２３とを有している。  
駆動制御部２２２は、ＣＰＵ１２３からの制御信号を受けてモータ２２３を駆動させることにより、撮影レンズ２０１のフォーカシングやズーミングを制御する。モータ２２３は、撮影レンズ２０１内のフォーカスレンズやズームレンズを駆動するためのモータである。
【００３５】
携帯型記録ユニット３は、無線通信部３２１と、ユニット側記録部３０５と、制御回路３０４とを有している。  
無線通信部３２１は、図３（ｂ）に示したチップアンテナ３０８と、無線ＩＣ３０９とを有している。チップアンテナ３０８は、携帯型記録ユニット３が外部装置４と無線通信するためのチップ状のアンテナである。無線ＩＣ３０９は、チップアンテナ３０８を介して送信するデジタルデータの変調処理やチップアンテナ３０８を介して受信するデジタルデータの復調処理等、携帯型記録ユニット３と外部装置４との無線通信に必要な処理を行うＩＣである。無線ＩＣ３０９は、カメラボディ１のＣＰＵ１２３からの制御信号に従って動作する。無線ＩＣ３０９は、カメラボディ１に携帯型記録ユニット３が装着された場合に、ＣＰＵ１２３と通信ラインＣ、通信ラインＡを介して通信自在に接続される。
【００３６】
ユニット側記録部３０５は、不揮発性メモリで構成されている。このユニット側記録部３０５は、カメラボディ１から送信されてきた画像ファイルを記録する。ユニット側記録部３０５は、カメラボディ１に携帯型記録ユニット３が装着された場合に、ＣＰＵ１２３と通信ラインＤを介して通信自在に接続される。図４の例では、ユニット側記録部３０５と無線通信部３２１とは電気的に接続されていない。したがって、図４の例において、ユニット側記録部３０５に記録された画像ファイルを、無線通信部３２１を用いて無線送信する場合は、ユニット側記録部３０５に記録されている画像ファイルを、通信ラインＤを経由してカメラボディ１内に取り込むようにする。そして、カメラボディ１内に取り込んだ画像ファイルを、通信ラインＡ、Ｃを経由して無線通信部３２１に転送し、無線通信部３２１を介して無線送信する。
【００３７】
制御回路３０４は、携帯型記録ユニット３の制御回路である。この制御回路３０４は、管理データ記録部としての機能を有し、携帯型記録ユニット３の管理データを記録している。そして、カメラボディ１からの管理データの取得要求に対応して管理データをＣＰＵ１２３に通信ラインＥを介して送信する。ＣＰＵ１２３は、携帯型記録ユニット３からの管理データにより、カメラボディ１に装着されているユニットが何であるかを識別する。ここで、管理データとは、携帯型記録ユニット３で取り扱う画像データの画質の保証等の管理するためのデータである。この管理データとしては、識別番号（ＩＤ）やニックネームといった携帯型記録ユニット３を識別するための情報が含まれる。この他の情報を含めるようにしても良い。
【００３８】
外部装置４は、無線通信部３２１との間で画像ファイル等のデジタルデータを送受信する機能を有する装置である。この外部装置４は、無線通信部３２１との間の無線通信機能を有しているものであれば、特に限定されない。
次に、本実施形態に係るカメラシステムの動作について説明する。図５は、本実施形態に係るカメラシステムにおけるＣＰＵ１２３の動作について示すフローチャートである。図５のフローチャートは、ユーザによってパワーボタンが押下され、カメラボディ１の電源がオンされることによって開始される。また、図５の動作中にユーザによってパワーボタンが再び押下され、カメラボディ１の電源がオフされることによって図５の動作が終了される。
【００３９】
ここで、本実施形態においては、カメラボディ１に携帯型記録ユニット３が装着されている場合には、再生ボタン１０５の押下に応じて、カメラボディ１の動作モードが３種の動作モードの間で遷移する。１つ目の動作モードは、撮影モードである。撮影モードは、撮影動作を実行してメモリカード１０８に画像データ（画像ファイル）を記録するための動作モードである。２つ目の動作モードは、第１の再生モードである。第１の再生モードは、メモリカード１０８に記録された画像ファイルを表示部１０６に再生するための動作モードである。３つ目の動作モードは、第２の再生モードである。第２の再生モードは、ユニット側記録部３０５に記録された画像ファイルを表示部１０６に再生するための動作モードである。
【００４０】
一方、カメラボディ１に携帯型記録ユニット３が装着されていない場合には、再生ボタン１０５の押下に応じて、カメラボディ１の動作モードが撮影モードと第１の再生モードの２種の動作モードの間で遷移する。
カメラボディ１の電源がオンされると、カメラボディ１のＣＰＵ１２３は、カメラボディ１に携帯型記録ユニット３が装着されているか否かを判定する（ステップＳ１）。ここで、カメラボディ１に携帯型記録ユニット３が装着されていることは、例えば通信ラインＥを通して携帯型記録ユニット３と通信可能となったことを着脱検出部としての機能を有するＣＰＵ１２３が検出することによって判定する。この他、機械的に装着を検出するようにしても良い。
【００４１】
ステップＳ１において、カメラボディ１に携帯型記録ユニット３が装着されている場合、ＣＰＵ１２３は、通信ラインＡと通信ラインＣとを接続するように切換部１２８に指示する（ステップＳ２）。これにより、カメラボディ１のＣＰＵ１２３と携帯型記録ユニット３のユニット側記録部３０５とが通信自在に接続される。
【００４２】
切換部１２８に指示した後、ＣＰＵ１２３は、通信ラインＥを介して、携帯型記録ユニット３の制御回路３０４に記録されている管理データを取得する（ステップＳ３）。そして、ＣＰＵ１２３は、取得した管理データに応じて、ユニット側記録部３０５への画像データの記録時の画質条件（第１の画質条件）及び無線通信部３２１を用いた画像データの送信時の画質条件（第２の画質条件）を設定する（ステップＳ４）。
【００４３】
ここで、画質条件とは、具体的には、無線通信部３２１を用いて送信する画像ファイルのデータサイズ（送信データサイズ）及びユニット側記録部３０５に記録する画像ファイルのデータサイズ（記録データサイズ）である。本実施形態では、無線通信部３２１による送信又はユニット側記録部３０５への記録に先立って、送信対象又は記録対象の画像ファイル内の画像データを圧縮処理することで所定のデータサイズの画像ファイルを生成する。
【００４４】
ＣＰＵ１２３は、画質条件設定部の機能として以下の表１に示すテーブルを記憶するための記憶部を有している。ＣＰＵ１２３は、管理データとして送られてきたＩＤ（またはニックネーム）に従って表１に示したテーブルを参照することで送信データサイズ及び記録データサイズを設定する。
【００４５】
【表１】
2012142820.tif 000003
表１に示すテーブルは、携帯型記録ユニット３のＩＤと、送信データサイズ及び記録データサイズと、を対応付けて登録したものである。送信データサイズ及び記録データサイズは、無線通信部３２１による送信にかかる通信時間及びユニット側記録部３０５への記録にかかる記録時間が、所定の許容時間内となるように設定することが望ましい。なお、表１で示した送信データサイズ及び記録データサイズの値は一例であって、許容時間の設定の仕方によって適宜変更されるものである。
【００４６】
例えば、表１では、「０００００１」のＩＤを有する携帯型記録ユニット３は、高速通信可能な無線通信部３２１を持つという仕様を有している。高速通信可能な無線通信部３２１を有していれば、送信する画像ファイルのデータサイズを比較的大きくしても、無線通信にかかる時間はそれほど長くはならない。したがって、表１の例では、「０００００１」のＩＤに対応した送信データサイズを他のＩＤのものよりも大きく設定している。具体的には、表１の例では、送信データサイズを１９２０画素×１４４０画素の１/１２圧縮に設定している。これは、画像データの画素数（解像度）を１９２０画素×１４４０画素とし、画像データのデータサイズを原画像データ（圧縮処理前の画像データ）の１/１２とすることを意味している。
【００４７】
また、「０００００１」のＩＤを有する携帯型記録ユニット３は、高速記録可能なユニット側記録部３０５を持つという仕様を有している。なお、高速記録可能とは、ＣＰＵ１２３とユニット側記録部３０５との間の通信を高速に行えることを意味している。このような高速記録可能なユニット側記録部３０５を有していれば、ユニット側記録部３０５に記録する画像ファイルのデータサイズを大きくしても記録にかかる時間はそれほど長くならない。また、一般に、無線通信の通信速度よりも、有線通信の通信速度のほうが高速である。このため、記録データサイズは、送信データサイズよりも大きくすることが可能である。したがって、表１の例では、「０００００１」のＩＤに対応した記録データサイズの最大値を無制限（原画像データと同じ）としている。実際には、記録データサイズは、ユニット側記録部３０５の空き容量によって制限される。ユーザは、最大値までの範囲であれば記録データサイズを設定することができる。この際、例えばメニュー画面上に記録データサイズの複数の選択肢を提示し、ユーザに所望の記録データサイズを選択させるようにしても良い。また、表１の例では、「０００００１」のＩＤに対応した記録データサイズの標準値を、１９２０画素×１４４０画素の１/８圧縮に設定している。この標準値のデータサイズで無線通信を行えば通信時間が確実に許容時間内となる。ユーザによる記録データサイズの選択がなされない場合に、ＣＰＵ１２３は、画質条件を標準のデータサイズに設定する。
【００４８】
また、表１では、「０００００２」のＩＤを有する携帯型記録ユニット３は、低速通信の無線通信部３２１を持つという仕様を有している。この場合には、送信データサイズの最大値を無制限のままとすると、通信時間が許容時間を越えてしまう可能性が高い。したがって、表１の例では、「０００００２」のＩＤに対応した送信データサイズを、高速通信可能な場合よりも小さい、１２８０画素×９６０画素の１/１２圧縮に設定している。
【００４９】
一方、「０００００２」のＩＤを有する携帯型記録ユニット３は、高速記録可能なユニット側記録部３０５を持つという仕様を有している。したがって、表１の例では、「０００００２」のＩＤに対応した記録データサイズの最大値を無制限に設定している。また、「０００００２」のＩＤに対応した記録データサイズの標準値を、１９２０画素×１４４０画素の１/８圧縮に設定している。
【００５０】
また、表１では、「０００００３」のＩＤを有する携帯型記録ユニット３は、低速通信の無線通信部３２１を持つという仕様を有している。したがって、表１の例では、「０００００３」のＩＤに対応した送信データサイズを、１２８０画素×９６０画素の１/１２圧縮に設定している。
【００５１】
一方、「０００００３」のＩＤを有する携帯型記録ユニット３は、中速記録可能なユニット側記録部３０５を持つという仕様を有している。表１の例では、記録データサイズの最大値を、高速通信可能な場合よりも小さい、１９２０画素×１４４０画素の１/８圧縮に設定している。また、「０００００３」のＩＤに対応した記録データサイズの標準値を、１２８０画素×９８０画素の１/８圧縮に設定している。
【００５２】
このように、携帯型記録ユニット３の無線通信部３２１及びユニット側記録部３０５の通信時間に関する仕様に応じて携帯型記録ユニット３毎の送信データサイズ及び記録データサイズを登録しておく。
ここで、図５の説明に戻る。ＩＤに対応した送信データサイズ及び記録データサイズを設定した後、ＣＰＵ１２３は、携帯型記録ユニット３の無線通信部３２１の動作を停止させて、携帯型記録ユニット３を省電力モードに移行させる（ステップＳ５）。携帯型記録ユニット３が省電力モードにある間は、外部装置４から画像ファイルが送信されたとしても、送信された画像ファイルが携帯型記録ユニット３で受信されない。無線通信部３２１を常時動作させないようにすることで、省電力化を図ることが可能である。
【００５３】
携帯型記録ユニット３を省電力モードに移行させた後、ＣＰＵ１２３は、通信ラインＡと通信ラインＢとを接続するように切換部１２８に指示する（ステップＳ６）。これにより、カメラボディ１のＣＰＵ１２３と交換レンズ２の駆動制御部２２２とが通信自在に接続される。切換部１２８への指示後、ＣＰＵ１２３は、カメラボディ１を撮影待機状態に移行させる（ステップＳ７）。撮影待機状態において、ＣＰＵ１２３は、ライブビュー表示（スルー画表示等とも言う）を行う。ライブビュー表示において、ＣＰＵ１２３は、撮像部１２１を連続動作させ、撮像部１２１の連続動作により得られる画像データに基づく画像を表示部１０６に逐次表示させる。このようなライブビュー表示により、ユーザは構図の確認等を行うことが可能である。
【００５４】
カメラボディ１を撮影待機状態に移行させた後、ＣＰＵ１２３は、操作部１２５の出力信号から、所定時間内に再生ボタン１０５が押下されたか否かを判定する（ステップＳ８）。ステップＳ８において、所定時間内に再生ボタン１０５が押下されていない、即ち、現在の動作モードが撮影モードである場合に、ＣＰＵ１２３は、操作部１２５の出力信号から、レリーズボタン１０１が押下されたか否かを判定する（ステップＳ９）。ステップＳ９において、レリーズボタン１０１が押下された場合、ＣＰＵ１２３は、撮影動作を実行する（ステップＳ１０）。
【００５５】
図６を参照してステップＳ１０の撮影動作について説明する。ＣＰＵ１２３は、レリーズボタン１０１の半押しに応答して、撮影レンズ２０１のフォーカスを調節する。また、ＣＰＵ１２３は、例えば撮像部１２１を介して得られる画像データの明るさを評価することで、撮影動作により得られる画像データの露出を適正とするための撮像部１２１の露出条件（絞り値やシャッタ速度、撮像素子の感度等）を設定する。その後、ＣＰＵ１２３は、レリーズボタン１０１の全押しに応答して、先に設定した露出条件に従って撮像部１２１を動作させる。撮像部１２１で得られた画像データは、記憶部１２２に一旦記憶される（図６の（１））。ＣＰＵ１２３は、記憶部１２２に記憶されている画像データを読み出してホワイトバランス補正や階調補正等の種々の画像処理を施し、画像処理した画像データに対して例えばＪＰＥＧ方式（静止画の場合）やＭＰＥＧ方式（動画の場合）等の圧縮処理を施す。そして、ＣＰＵ１２３は、画像処理した画像データを所定のファイル形式の画像ファイルとしてメモリカード１０８に記録する（図６の（２））。ここで、所定の形式の画像ファイルとは、例えばＤＣＦ（Design rule for camera file system）形式の画像ファイルである。ＤＣＦ形式では、画像データに所定のヘッダ情報が付与される。このヘッダ情報としては、露出条件等の各種の撮影条件、撮影日時、カメラボディ１のＩＤ等の各種の情報が記録される。
【００５６】
なお、図６にも示しているように、本実施形態では、撮影動作の際には、画像ファイルをユニット側記録部３０５に記録しないようにしている。
ここで、図５の説明に戻る。撮影動作の実行後、ＣＰＵ１２３は、例えばメニュー画面上で画像ファイルを転送（コピー）するように指示されたか否かを判定する（ステップＳ１１）。この画像ファイルの転送は、メモリカード１０８からユニット側記録部３０５への画像ファイルの転送と、ユニット側記録部３０５からメモリカード１０８への画像ファイルの両方を含む。ステップＳ１１において、画像ファイルの転送が指示された場合に、ＣＰＵ１２３は、画像ファイルの転送を実行する（ステップＳ１２）。
【００５７】
図７、図８を参照してステップＳ１２の画像ファイルの転送動作について説明する。  
まず、メモリカード１０８からユニット側記録部３０５への画像ファイルの転送動作について説明する。本実施形態では、メモリカード１０８からユニット側記録部３０５への画像ファイルの転送の際の通信時間（即ち、記録時間）を短縮するために、メモリカード１０８に記録された画像ファイルに対して再度の圧縮処理を施すようにする。
【００５８】
画像ファイルの転送に際し、ＣＰＵ１２３は、メモリカード１０８から画像ファイルを読み出し、読み出した画像ファイル内の画像データのデータサイズをステップＳ４で設定した記録データサイズとするようにさらに圧縮処理を施す。続いて、ＣＰＵ１２３は、圧縮処理された画像データを含む画像ファイルを記憶部１２２に記憶させる（図７の（１））。その後、ＣＰＵ１２３は、画像記録要求を行う。このために、ＣＰＵ１２３は、記憶部１２２に記憶された画像ファイルを読み出し、読み出した画像ファイルを通信ラインＤを介してユニット側記録部３０５に対して送信する。このような動作により、メモリカード１０８に記録された画像ファイルがユニット側記録部３０５にコピーされる（図７の（２））。
【００５９】
次に、ユニット側記録部３０５からメモリカード１０８への画像ファイルの転送動作について説明する。この画像ファイルの転送に際し、ＣＰＵ１２３は、ユニット側記録部３０５に対して通信ラインＤを介して画像読み出し要求を行う。この画像読み出し要求を受けてユニット側記録部３０５に記録されている画像ファイルが読み出される。ＣＰＵ１２３は、ユニット側記録部３０５から読み出した画像ファイルを記憶部１２２に記憶させる（図８の（１））。その後、ＣＰＵ１２３は、記憶部１２２に記憶された画像ファイルを読み出してメモリカード１０８に記録する（図８の（２））。このような動作により、ユニット側記録部３０５に記録された画像ファイルがメモリカード１０８にコピーされる。ここで、ユニット側記録部３０５からメモリカード１０８への画像ファイルの転送動作の場合は、圧縮処理は不要である。
【００６０】
ここで、図５の説明に戻る。ステップＳ９においてレリーズボタン１０１が押下されていない場合、ステップＳ１１において画像ファイルの転送が指示されていない場合、ステップＳ１２の後、ＣＰＵ１２３は、携帯型記録ユニット３が装着されているか否かを判定する（ステップＳ１３）。ステップＳ１３において、携帯型記録ユニット３が装着されている場合に、ＣＰＵ１２３は、処理をステップＳ７に移行させてカメラボディ１を待機状態にする。一方、ステップＳ１３において、携帯型記録ユニット３が装着されていない場合に、ＣＰＵ１２３は、処理をステップＳ２７に移行させる。
【００６１】
また、ステップＳ８において、所定時間内に再生ボタン１０５が押下された場合に、ＣＰＵ１２３は、通信ラインＡと通信ラインＣとを接続するように切換部１２８に指示する（ステップＳ１４）。続いて、ＣＰＵ１２３は、操作部１２５の出力信号から、所定時間内に再生ボタン１０５が押下されたか否かを判定する（ステップＳ１５）。ステップＳ１５において、所定時間内に再生ボタン１０５が押下されていない、即ち、現在の動作モードが第１の再生モードである場合に、ＣＰＵ１２３は、操作部１２５の出力信号から、ユーザによってメモリカード１０８内の画像ファイルの何れかが選択されたか否かを判定する（ステップＳ１６）。ステップＳ１６において、メモリカード１０８に記録された画像ファイルの何れかが選択された場合に、ＣＰＵ１２３は、選択された画像ファイル内の画像データをメモリカード１０８から読み出して伸長処理を施し、伸長処理により得られた画像データに対応した画像を表示部１０６に表示させる（ステップＳ１７）。
【００６２】
ステップＳ１７において画像ファイルを再生した後、ＣＰＵ１２３は、例えばメニュー画面上で画像ファイルを無線通信するように指示されたか否かを判定する（ステップＳ１８）。この無線通信は、画像ファイルの送信と画像ファイルの受信の両方を含む。ステップＳ２２において、画像ファイルの無線通信が指示された場合に、ＣＰＵ１２３は、画像ファイルの無線通信を実行する（ステップＳ１９）。
【００６３】
図９、図１０を参照してステップＳ１９の画像ファイルの無線通信について説明する。本実施形態では、無線通信部３２１による画像ファイルの送信時間を短縮するために、メモリカード１０８に記録された画像ファイルやユニット側記録部３０５に記録された画像ファイルに対して再度の圧縮処理を施すようにする。
【００６４】
まず、メモリカード１０８に記録されている画像ファイルを外部装置４に送信する際の動作について説明する。メモリカード１０８内の画像ファイルを送信する場合も記録の場合と同様に圧縮処理を行う。このために、ＣＰＵ１２３はメモリカード１０８から画像ファイルを読み出し、読み出した画像ファイル内の画像データのデータサイズをステップＳ４で設定した送信データサイズとするようにさらに圧縮処理する。そして、ＣＰＵ１２３は、圧縮処理された画像データを含む画像ファイルを記憶部１２２に記憶させる（図９の（１））。その後、ＣＰＵ１２３は、無線通信部３２１を動作可能状態に復帰させる。そして、ＣＰＵ１２３は、記憶部１２２に記憶された画像ファイルを読み出し、読み出した画像ファイルを、通信ラインＡ、Ｃを介して無線通信部３２１に出力する（図９の（２））。その後、ＣＰＵ１２３は、無線通信部３２１に出力した画像ファイルを外部装置４に送信するように無線通信部３２１に画像送信要求を送る。これを受けて、無線通信部３２１から外部装置４に画像ファイルが送信される（図９の（３））。
【００６５】
次に、外部装置４から画像ファイルを受信する際の動作について説明する。画像ファイルの受信の際に、ＣＰＵ１２３は、画像ファイルの送信の場合と同様、無線通信部３２１を動作可能状態に復帰させる。その後、ＣＰＵ１２３は、画像データを外部装置４から受信するように無線通信部３２１に画像受信要求を送る。これを受けて、外部装置４からの画像ファイルが無線通信部３２１において受信される（図１０の（１））。続いて、ＣＰＵ１２３は、無線通信部３２１で受信された画像ファイルを、通信ラインＣを介して取り込んで記憶部１２２に記憶させる（図１０の（２））。そして、ＣＰＵ１２３は、記憶部１２２に記憶された画像ファイルを読み出し、読み出した画像ファイルを通信ラインＤを介してユニット側記録部３０５に記録する（図１０の（３））。この際、画像ファイルの受信の場合には圧縮処理は不要である。これは、無線通信部３２１で受信可能な画像ファイルのデータサイズを送信データサイズと同じとした場合である。無線通信部３２１で受信可能な画像ファイルのデータサイズを記録データサイズよりも大きくした場合には、圧縮処理が必要となる。
【００６６】
ここで、図５の説明に戻る。ステップＳ１６において画像ファイルが選択されていない場合、ステップＳ１８において画像ファイルの無線通信が指示されていない場合、ステップＳ１９の画像ファイルの無線通信の実行後、ＣＰＵ１２３は、携帯型記録ユニット３が装着されているか否かを判定する（ステップＳ２０）。ステップＳ２０において、携帯型記録ユニット３が装着されている場合に、ＣＰＵ１２３は、処理をステップＳ１５に移行させて第１の再生モードの動作を継続する。一方、ステップＳ２０において、携帯型記録ユニット３が装着されていない場合に、ＣＰＵ１２３は、処理をステップＳ２７に移行させる。
【００６７】
また、ステップＳ１５において、所定時間内に再生ボタン１０５が押下された場合に、ＣＰＵ１２３は、操作部１２５の出力信号から、所定時間内に再生ボタン１０５が再び押下されたか否かを判定する（ステップＳ２１）。ステップＳ２１において、所定時間内に再生ボタン１０５が押下された場合に、ＣＰＵ１２３は、ステップＳ７の撮影待機状態に復帰する。また、ステップＳ２１において、所定時間内に再生ボタン１０５が押下されていない、即ち、現在の動作モードが第２の再生モードである場合に、ＣＰＵ１２３は、操作部１２５の出力信号から、ユーザによってユニット側記録部３０５に記録されている画像ファイルの何れかが選択されたか否かを判定する（ステップＳ２２）。ステップＳ２２において、ユニット側記録部３０５に記録されている画像ファイルの何れかが選択された場合に、ＣＰＵ１２３は、選択された画像ファイルに対応した画像を表示部１０６に表示させる（ステップＳ２３）。この際、ＣＰＵ１２３は、図８の（１）で示したようにして、通信ラインＤを介してユニット側記録部３０５から画像ファイルを読み出して記憶部１２２に記憶させる。その後、ＣＰＵ１２３は、記憶部１２２に記憶された画像ファイル内の画像データを読み出して伸長処理を施し、伸長処理により得られた画像データに対応した画像を表示部１０６に表示させる。
【００６８】
ステップＳ２３においてユニット側記録部３０５内の画像ファイルを再生した後、ＣＰＵ１２３は、例えばメニュー画面上で画像ファイルを無線通信するように指示されたか否かを判定する（ステップＳ２４）。この無線通信も、画像ファイルの送信と画像ファイルの受信の両方を含む。ステップＳ２４において、画像ファイルの無線通信が指示された場合に、ＣＰＵ１２３は、画像ファイルの無線通信を実行する（ステップＳ２５）。
【００６９】
図１１を参照してステップＳ２５の画像ファイルの無線通信について説明する。受信動作は、図１０を参照して説明したものと同様であるので、ユニット側記録部３０５に記録されている画像ファイルを外部装置４に送信する際の動作について説明する。  
ユニット側記録部３０５内の画像ファイルを送信する場合であってもカメラボディ１内で圧縮処理を施してから送信する。このために、ＣＰＵ１２３は、通信ラインＤを介してユニット側記録部３０５から画像ファイルを読み出し、読み出した画像ファイルを記憶部１２２に記憶させる（図１１の（１））。そして、ＣＰＵ１２３は、記憶部に記憶された画像ファイル内の画像データのデータサイズをステップＳ４で設定した送信データサイズとするようにさらに圧縮処理する。このような圧縮処理を行うのは、ユニット側記録部３０５に記録されている画像ファイルのデータサイズのほうが無線データサイズよりも大きいためである。圧縮処理の後、ＣＰＵ１２３は、圧縮処理された画像データを含む画像ファイルを記憶部１２２に記憶させる。その後、ＣＰＵ１２３は、無線通信部３２１を動作可能状態に復帰させる。そして、ＣＰＵ１２３は、記憶部１２２に記憶された画像ファイルを読み出し、読み出した画像ファイルを、通信ラインＡ、Ｃを介して無線通信部３２１に出力する（図１１の（２））。その後、ＣＰＵ１２３は、無線通信部３２１に出力した画像ファイルを外部装置４に送信するように無線通信部３２１に制御信号を送る。これを受けて、無線通信部３２１から外部装置４に画像ファイルが送信される（図１１の（３））。
【００７０】
ここで、図５の説明に戻る。ステップＳ２２において画像ファイルが選択されていない場合、ステップＳ２４において画像ファイルの無線通信が指示されていない場合、ステップＳ２５の画像ファイルの無線通信の実行後、ＣＰＵ１２３は、携帯型記録ユニット３が装着されているか否かを判定する（ステップＳ２６）。ステップＳ２６において、携帯型記録ユニット３が装着されている場合に、ＣＰＵ１２３は、処理をステップＳ２２に移行させて第２の再生モードの動作を継続する。一方、ステップＳ２６において、携帯型記録ユニット３が装着されていない場合に、ＣＰＵ１２３は、処理をステップＳ２７に移行させる。
【００７１】
ステップＳ１３、Ｓ２０、Ｓ２６において、携帯型記録ユニット３が装着されていない場合に、ＣＰＵ１２３は、通信ラインＡと通信ラインＢとを接続するように切換部１２８に指示する（ステップＳ２７）。これにより、カメラボディ１のＣＰＵ１２３と交換レンズ２の駆動制御部２２２とが通信自在に接続される。切換部１２８への指示後、ＣＰＵ１２３は、携帯型記録ユニット３が装着されていない場合のカメラ動作を実行する（ステップＳ２８）。携帯型記録ユニット３が装着されていない場合のカメラ動作については簡単に説明する。即ち、携帯型記録ユニット３が装着されていない場合の撮影モードにおいて、ＣＰＵ１２３は、ステップＳ７〜Ｓ１０で示した動作と同様の動作を実行する。また、携帯型記録ユニット３が装着されていない場合の再生モードにおいて、ＣＰＵ１２３は、ステップＳ１６〜Ｓ１７で示した動作と同様の動作を実行する。このようなカメラ動作の後、処理がステップＳ１に戻り、ＣＰＵ１２３は、携帯型記録ユニット３が装着されているか否かを再び判定する。
【００７２】
図１２は、図５のフローチャートの動作がなされている間に表示部１０６になされる表示の例を示す図である。  
上述したように、撮影モード時（撮影待機状態時）にはライブビュー表示が行われる。このようなライブビュー表示に伴って、本実施形態では、例えば図１２に示すように、シャッター速度や絞り値といった撮影情報１０６１を表示させる。
【００７３】
また、第１の再生モード時には、メモリカード１０８に記録されている画像ファイルの中で、ユーザによって選択された画像ファイルが表示部１０６に再生される。このような画像ファイルの再生に伴って、本実施形態では、例えば、再生中の画像ファイルが記録されている記録媒体がメモリカード１０８であることを示す指標１０６２と、現在再生中の画像ファイルがメモリカード１０８の何コマ目の画像ファイルであるかを示す文字列１０６３とを表示させる。
【００７４】
さらに、第２の再生モード時には、ユニット側記録部３０５に記録されている画像ファイルの中で、ユーザによって選択された画像ファイルが表示部１０６に再生される。このような画像ファイルの再生に伴って、本実施形態では、例えば、再生中の画像ファイルが記録されている記録媒体がユニット側記録部３０５であることを示す指標１０６４と、カメラボディ１に装着されている携帯型記録ユニットのＩＤ（またはニックネーム）を示す文字列１０６５と、現在再生中の画像ファイルがユニット側記録部３０５の何コマ目の画像ファイルであるかを示す文字列１０６６とを表示させる。
【００７５】
以上説明したように、本実施形態においては、カメラボディ１が、携帯型記録ユニット３からの管理データに従って、携帯型記録ユニット３に記録する画像ファイルのデータサイズや携帯型記録ユニット３から送信する画像ファイルのデータサイズを設定している。このため、撮影動作によって得られた画像ファイル等を携帯型記録ユニット３にコピーする際の記録時間や携帯型記録ユニット３を用いた無線通信の時間を携帯型記録ユニット３の能力に応じて最適化することが可能である。したがって、例えば記録時間や通信時間が長くなりすぎてユーザの操作感を損なうことが無い。特に、本実施形態では、記録データサイズよりも送信データサイズを小さくしている。このため、無線通信の時間が必要以上に長くなることが無い。
【００７６】
さらに、本実施形態では撮影動作の後、ユーザの指示があった時点で画像ファイルを携帯型記録ユニット３にコピーするようにしている。このため、携帯型記録ユニット３の容量を確保し易い。
また、本実施形態では外部装置４から受信された画像ファイルをユニット側記録部３０５に記録している。このため、ユーザは画像ファイルの受け取り場所を認識し易い。また、画像ファイルの受信によってメモリカード１０８の容量が圧迫されることも無い。さらに、メモリカード１０８内の画像ファイルの再生中であっても、ユニット側記録部３０５内の画像ファイルの再生中であっても携帯型記録ユニット３を用いた無線通信を行うことが可能である。
【００７７】
また、メモリカード１０８とユニット側記録部３０５とでは相互に画像ファイルをコピーできる。このため、撮影により得られた画像のアルバム化や受信画像のメモリカード１０８へのコピーも可能である。
さらに、再生ボタン１０５の押下によって動作モードを変更することで、メモリカード１０８内の画像ファイルの再生とユニット側記録部３０５内の画像ファイルの再生とを瞬時に切り換えることができる。
【００７８】
また、交換レンズ２と携帯型記録ユニット３とで通信ラインを共用することで、カメラボディ１内の回路構成を小型かつ安価にすることができる。
さらに、本実施形態では、携帯型記録ユニット３に画像ファイルを記録する際であっても、圧縮処理をカメラボディ１内で行うようにしている。これにより、携帯型記録ユニット３内部に画像処理回路を持たせる必要がないので、携帯型記録ユニット３の回路構成を小型かつ安価にすることができる。
【００７９】
ここで、図５のステップＳ４の画質条件の設定の際に、管理データとして取得されたＩＤに対してＣＰＵ１２３に予め登録されているテーブルを参照するようにしている。この場合、予めＩＤが登録されていない携帯型記録ユニット３に対しては、送信データサイズ及び記録データサイズを設定することができない。これに対し、携帯型記録ユニット３の制御回路３０４に記録しておく管理データに、送信データサイズの最大値及び標準値、記録データサイズの最大値及び標準値を含めておくようにしても良い。ＣＰＵ１２３は、このようなデータサイズを限定するような情報が含まれた管理データを取得することによって、テーブルに登録されていないＩＤに対応した携帯型記録ユニット３に対しても、送信データサイズや記録データサイズを設定することが可能となる。これにより、例えばカメラボディ１の開発後に開発されたような携帯型記録ユニット３であっても、画質条件の設定を行うことが可能となる。
【００８０】
［第２の実施形態］
次に、本発明の第２の実施形態について説明する。図１３は、本実施形態に係るカメラシステムのより詳細な構成を示すブロック図である。なお、図１３においては、図４と異なる構成についてのみ説明する。即ち、第２の実施形態では、携帯型記録ユニット３内の制御回路３０４が、カメラボディ１のＣＰＵ１２３と携帯型記録ユニット３内のユニット側記録部３０５との間の通信ラインである通信ラインＤの途中に配置されている点が第１の実施形態と異なる。第２の実施形態における制御回路３０４は、カメラボディ１からの画像読み出し要求に含まれているカメラボディ１のＩＤから、ユニット側記録部３０５からの画像ファイルの読み出しの可否を判定し、この判定結果に応じて画像記録の可否を判定する。具体的には、特定のＩＤのカメラボディ１からの読み出しを行えないようにプロテクトされている画像データについては、同じＩＤを提示してくるカメラボディ１以外のアクセスをできないようにする。
【００８１】
図１４は、制御回路３０４の動作を示すフローチャートである。図１４の動作は、
図８で示したユニット側記録部３０５からメモリカード１０８への画像ファイルの転送動作の際に行われるものである。
図１４において、制御回路３０４は、カメラボディ１のＣＰＵ１２３からの画像読み出し要求を受信する（ステップＳ３１）。上述したように、第２の実施形態においては、画像読み出し要求にカメラボディ１のＩＤを示す情報も含まれている。画像読み出し要求を受信すると、制御回路３０４は、画像読み出し要求に含まれているカメラボディ１のＩＤを示す情報を読み出す（ステップＳ３２）。さらに、制御回路３０４は、画像読み出し要求によってＣＰＵ１２３から要求された画像ファイルに付与されているプロテクトＩＤを読み出す（ステップＳ３３）。
【００８２】
プロテクトＩＤの読み出しの結果、制御回路３０４は、プロテクトＩＤが読み出せたか、即ち要求された画像ファイルにプロテクトＩＤが付与されていたか否かを判定する（ステップＳ３４）。ステップＳ３４において、要求された画像ファイルにプロテクトＩＤが付与されていた場合に、制御回路３０４は、ステップＳ３２で読み出したカメラボディ１のＩＤとステップＳ３３で読み出したプロテクトＩＤとが一致したか否かを判定する（ステップＳ３５）。
【００８３】
ステップＳ３５において、ＩＤが一致していない場合に、制御回路３０４は、ＣＰＵ１２３から要求された画像ファイルへのアクセスを禁止する（ステップＳ３６）。この際、画像ファイルのアクセスが禁止された旨を示す情報をＣＰＵ１２３に送るようにしても良い。このようにすれば、例えば画像ファイルのアクセスが禁止された旨をカメラボディ１の表示部１０６に表示させる等することが可能である。
【００８４】
また、ステップＳ３４において画像ファイルにプロテクトＩＤが付与されていない場合、又はステップＳ３５においてＩＤが一致した場合に、制御回路３０４は、ＣＰＵ１２３から要求された画像ファイルへのアクセスを許可する（ステップＳ３７）。この場合、図８で示した流れに従って画像ファイルの転送（コピー）が行われる。
【００８５】
図１４の例は、ユニット側記録部３０５からの画像ファイルの読み出しを制限する例である。この他、カメラボディ１のＩＤを照合することによって無線通信部３２１を用いた無線通信を制限したり、ユニット側記録部３０５への画像ファイルの記録を制限したりしても良い。
【００８６】
また、プロテクトＩＤの他に、画像ファイルのファイル形式によって制限するようにしても良い。例えば、動画像ファイルは通信時間が長くなり易いのでユニット側記録部３０５への記録を制限するようにしたり、画像ファイルがＤＣＦ形式でない場合にはユニット側記録部３０５への記録を制限するようにしたりしても良い。
【００８７】
例えば、図１５（ａ）は、に示すようにして、第１の再生モード中にメモリカード１０８に記録されている動画像ファイルが再生されている例を示している。このとき、表示部１０６には、動画が再生されていることを示す指標１０６７が表示される。この際、メニュー画面１０６８上で画像ファイルの転送（コピー）が選択されると、当該動画像ファイルをユニット側記録部３０５に記録するように画像記録要求がなされる。制御回路３０４は、ＣＰＵ１２３から記録するように要求された画像ファイルが動画ファイルの場合には、当該動画ファイルのユニット側記録部３０５への記録をブロックする。この場合、制御回路３０４は、画像ファイルの記録がブロックされた旨を示す情報を管理データとしてＣＰＵ１２３に送信する。これを受けてＣＰＵ１２３は、図１５（ｂ）に示すように、画像ファイルの記録がブロックされた旨を示す表示１０６９を表示部１０６に表示させる。
【００８８】
以上説明したように、本実施形態によれば、カメラボディ１と携帯型記録ユニット３との間の画像データのやり取りを種々の条件に従って制限することが可能である。これにより、例えばある人の所有している携帯型記録ユニット３が他者のカメラボディ１に装着されたときに、再生を許可する画像を限定することができる。また、カメラボディ１と携帯型記録ユニット３との間の画像のやり取りが実行されない場合には、その旨を表示部１０６に表示させるようにすることで、カメラボディ１に装着されている携帯型記録ユニット３が対応している画像ファイルをユーザに認識させることが可能である。
【００８９】
以上実施形態に基づいて本発明を説明したが、本発明は上述した実施形態に限定されるものではなく、本発明の要旨の範囲内で種々の変形や応用が可能なことは勿論である。
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【符号の説明】
【００９０】
１…カメラボディ、２…交換レンズ、３…携帯型記録ユニット、４…外部装置、１０６…表示部、１０８…メモリカード、１２１…撮像部、１２２…記憶部、１２３…ＣＰＵ、１２５…操作部、１２６…時計部、１２８…切換部、１２９…電源部、２０１…撮影レンズ、２２２…駆動制御部、２２３…モータ、３０４…制御回路、３０５…ユニット側記録部、３２１…無線通信部
【図１】
2012142820.tif 000004
【図２】
2012142820.tif 000005
【図３】
2012142820.tif 000006
【図４】
2012142820.tif 000007
【図５】
2012142820.tif 000008
【図６】
2012142820.tif 000009
【図７】
2012142820.tif 000010
【図８】
2012142820.tif 000011
【図９】
2012142820.tif 000012
【図１０】
2012142820.tif 000013
【図１１】
2012142820.tif 000014
【図１２】
2012142820.tif 000015
【図１３】
2012142820.tif 000016
【図１４】
2012142820.tif 000017
【図１５】
2012142820.tif 000018